【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
ハウジング；
前記ハウジング内に配置されるボビン；
前記ボビンに配置される第１コイル；
前記ハウジングに配置されるマグネット；
前記ボビンの上部及び前記ハウジングの上部に結合される上部スプリング；
前記ハウジングの下側に配置される回路基板；
前記上部スプリングと前記回路基板とを電気的に連結する支持部材；及び
前記上部スプリングに配置されるダンパー；を含み、
前記上部スプリングは、
前記ハウジングと結合される外側部；
前記支持部材に結合される第１結合部；及び
前記外側部と前記第１結合部とを連結する第１連結部；を含み、
前記第１結合部は、前記第１結合部から前記外側部に向かう方向に延長される第１延長部をさらに含み、
前記第１延長部は前記外側部と離隔し、前記ダンパーは、前記第１延長部と前記外側部とを連結するレンズ駆動装置。
【請求項２】
前記外側部は、前記ハウジングのコーナーで前記ハウジングと結合される、請求項１に記載のレンズ駆動装置。
【請求項３】
前記外側部は、
前記ハウジングの第１側部に配置され、前記ハウジングと結合される第２結合部；
前記ハウジングの第１側部と隣り合う第２側部に配置され、前記ハウジングと結合される第３結合部；及び
前記第２結合部と前記第３結合部とを連結する第２連結部；を含み、
前記第１連結部は、
前記第２結合部と前記第１結合部とを連結する第３連結部；及び
前記第３結合部と前記第１結合部とを連結する第４連結部；を含む、請求項２に記載のレンズ駆動装置。
【請求項４】
前記ダンパーは、前記第１延長部と前記第２連結部との間に配置され、
前記第１延長部は、前記第３連結部及び前記第４連結部のそれぞれと離隔する、請求項３に記載のレンズ駆動装置。
【請求項５】
前記第１延長部は、
前記第１結合部から前記第２結合部に延長される第２延長部；
前記第１結合部から前記第３結合部に延長される第３延長部；及び
前記第１結合部から前記第２連結部に延長される第４延長部；を含む、請求項３に記載のレンズ駆動装置。
【請求項６】
前記第１延長部は、前記第１結合部から前記外側部に向かう方向に延長されるほど広くなる幅を有する部分を含む、請求項１〜請求項５のいずれか１項に記載のレンズ駆動装置。
【請求項７】
前記外側部に対応する前記第１延長部の部分は、前記外側部の形状に対応する形状を含む、請求項１〜請求項６のいずれか１項に記載のレンズ駆動装置。
【請求項８】
前記第１結合部は、前記支持部材と結合される結合領域を含み、
前記第１結合部の第１長さは、前記第１結合部の第２長さより長く、
前記第１長さは、前記結合領域から前記第１延長部の延長方向に延長された前記第１結合部の一端までの距離であり、前記第２長さは、前記結合領域から前記第１延長部の延長方向の反対方向に延長された前記第１結合部の他端までの距離である、請求項４に記載のレンズ駆動装置。
【請求項９】
前記ハウジングの側部の外側面に配置され、前記第１コイルとの相互作用によって誘導電圧を発生する第２コイルをさらに含む、請求項１〜請求項８のいずれか１項に記載のレンズ駆動装置。
【請求項１０】
前記ハウジングは、上部面に配置される第１突出部及び第２突出部を含み、
前記上部スプリングは、第１スプリング及び第２スプリングを含み、
前記第２コイルの一部は、前記第１突出部に少なくとも１回以上巻かれ、前記第１スプリングと連結され、前記第２コイルの他の一部は、前記第２突出部に少なくとも１回以上巻かれ、前記第２スプリングと連結される、請求項９に記載のレンズ駆動装置。
【請求項１１】
前記第１延長部は、基準線を基準にして左右対称であり、前記基準線は、中心点と前記ハウジングのコーナーを通過する直線であり、前記中心点は、前記ハウジングの中央又は前記上部スプリングの中心である、請求項１〜請求項１０のいずれか１項に記載のレンズ駆動装置。
【請求項１２】
前記ダンパーは、前記第１延長部の側面及び前記外側部の側面に接触し、
前記ダンパーは、前記第１延長部及び前記外側部のうち少なくとも一つの上面又は下面に接触する、請求項１〜請求項１１のいずれか１項に記載のレンズ駆動装置。
【請求項１３】
前記上部スプリングは、
前記第１コイルの一端に電気的に連結される第１上部スプリング；
前記第１コイルの他端に電気的に連結される第２上部スプリング；
前記第２コイルの一端に電気的に連結される第３上部スプリング；及び
前記第２コイルの他端に電気的に連結される第４上部スプリング；を含む、請求項９に記載のレンズ駆動装置。
【請求項１４】
前記支持部材は、
前記第１上部スプリングと連結される第１支持部材；
前記第２上部スプリングと連結される第２支持部材；
前記第３上部スプリングと連結される第３支持部材；及び
前記第４上部スプリングと連結される第４支持部材；を含む、請求項１３に記載のレンズ駆動装置。
【請求項１５】
前記第１延長部の上面の面積は、前記第１結合部の上面の面積より大きい、請求項１〜請求項１４のいずれか１項に記載のレンズ駆動装置。
【請求項１６】
前記第２コイルは、前記ハウジングの外周面を覆うリング状の部分を含む、請求項９に記載のレンズ駆動装置。
【請求項１７】
前記ダンパーは、前記支持部材の振動を吸収又は緩衝させる緩衝部材である、請求項１〜請求項１５のいずれか１項に記載のレンズ駆動装置。
【請求項１８】
前記ダンパーは、前記ハウジングから離隔する、請求項１〜請求項１７のいずれか１項に記載のレンズ駆動装置。
【手続補正２】
【補正対象書類名】明細書
【補正対象項目名】００４５
【補正方法】変更
【補正の内容】
【００４５】
ボビン１１０の第１突出部１１１は、第１ガイド部１１１ａ及び第１ストッパー１１１ｂを含むことができる。ボビン１１０の第１ガイド部１１１ａは、上部弾性部材１５０の設置位置をガイドする役割をすることができる。例えば、ボビン１１０の第１ガイド部１１１ａは、上部弾性部材１５０の第１フレーム連結部１５３をガイドすることができる。
【手続補正３】
【補正対象書類名】明細書
【補正対象項目名】０１０５
【補正方法】変更
【補正の内容】
【０１０５】
例えば、突出部３１ａ、３１ｂは、ハウジング１４０の各側部１４１のうち互いに向かい合う２個の側部、例えば、ハウジング１４０の第１側部と第３側部の上部面に配置され得る。また、突出部３１ａ、３１ｂは、第２突起３２ａ、３２ｂが位置するハウジング１４０の第１及び第３側部に配置され得る。
【手続補正４】
【補正対象書類名】明細書
【補正対象項目名】０１０９
【補正方法】変更
【補正の内容】
【０１０９】
これは、第１及び第２溝６１ａ、６１ｂは、第１及び第２突出部３１ａ、３１ｂのうち対応するいずれか一つに隣接して位置することによって、第２コイル１７０の一部及び他の一部が第１及び第２突出部３１ａ、３１ｂに容易に巻かれるようにするためである。
【手続補正５】
【補正対象書類名】明細書
【補正対象項目名】０１５４
【補正方法】削除
【補正の内容】
【手続補正６】
【補正対象書類名】明細書
【補正対象項目名】０１６６
【補正方法】変更
【補正の内容】
【０１６６】
第１結合部５２０は、支持部材２２０が貫通するホール５２を備えることができる。ホール５２を通過した支持部材２２０の一端は、伝導性接着部材又はソルダー９０１によって第１結合部５２０に結合され得る。また、第１結合部５２０と支持部材２２０とは電気的に連結され得る。
【手続補正７】
【補正対象書類名】明細書
【補正対象項目名】０１９７
【補正方法】変更
【補正の内容】
【０１９７】
例えば、第２〜第４上部スプリング１５０−２〜１５０−４のそれぞれは、第１上部スプリングとその形状が類似又は同一であり得る。例えば、第２〜第４上部スプリング１５０−２〜１５０−４のそれぞれに対しては、図８の第１上部スプリング１５０−１に対する説明が適用され得る。
【手続補正８】
【補正対象書類名】明細書
【補正対象項目名】０２１０
【補正方法】変更
【補正の内容】
【０２１０】
第１外側部５０１ａの第２連結部に対する説明は、第２〜第４外側部５１０ｂ〜５１０ｄのそれぞれの第２連結部に適用され得る。
【手続補正９】
【補正対象書類名】明細書
【補正対象項目名】０２４３
【補正方法】変更
【補正の内容】
【０２４３】
ＡＦ可動部（例えば、ボビン１１０）の初期位置において、第２コイル１７０は、光軸方向に対して垂直な方向にマグネット１３０とオーバーラップされなくてもよい。これは、マグネット１３０と第２コイル１７０の相互間の干渉を減少させるためである。
【手続補正１０】
【補正対象書類名】明細書
【補正対象項目名】０３２２
【補正方法】変更
【補正の内容】
【０３２２】
第２ホルダー８００は第１ホルダー６００の下部に配置され、第２ホルダー８００にはイメージセンサー８１０が実装され得る。イメージセンサー８１０は、フィルター６１０を通過した光が入射し、光が含むイメージが結像される部位であるアクティブ領域（ａｃｔｉｖｅ  ａｒｅａ）、撮像領域、又は有効領域を含むことができる。